(57)【要約】【課題】異なる特性の信号レベルの表示を切り替えにより単一のバーグラフ表示器で行うために発生するマイクロプロセッサなどの外部機能への負荷の増大、または、表示機能自体への制限を解消し、外部機能の負担を軽減し異なる表示形式の信号を単一のバーグラフ表示器で行うためのバーグラフモニタ表示装置を提供する。【解決手段】本発明のバーグラフモニタ表示装置は、マイクロプロセッサ１１と、バーグラフ表示器の桁数に応じたコンパレータ１３（信号比較器）と、各コンパレータ用の基準電圧を記憶・発生及びマイクロプロセッサ等の基準電圧を設定するための基準電圧記憶回路１２と、バーグラフ表示器１４から構成する。【選択図】  図１
2004198848.tif 000002
【特許請求の範囲】
【請求項１】
異なる信号の信号レベルの表示を行う表示装置であって、
前記信号レベルが信号レベル毎に予め設定された基準値を超えたか否かを測定する複数の信号レベル比較器と、
前記複数の信号レベル比較器の基準値を記憶する記憶回路と、
現在使用している信号から異なる信号の切替え時に、前記記憶回路に記憶されている基準値の切替え設定を行う処理部と、
前記処理部で設定された基準値に基づいた信号レベル比較器を使用し、当該信号レベル比較器から出力される信号レベルを表示する表示器を備えることを特徴とする表示装置。
【発明の詳細な説明】
【０００１】
【発明の属する技術分野】
本発明は、電子機器に組み込まれ、主に信号のレベルを表示する機能をもつバーグラフ表示器の表示パターンの設定に自由度を持たせ、複数の線形表示、または対数表示等の信号の切り替えを簡易に行えるモニタ表示方式に関するものである。
【０００２】
【従来の技術】
従来、バーグラフモニタの表示方式として、（１）モニタするための信号を常時マイクロプロセッサに取り込み、加工して、バーグラフ表示器の表示パターンを直接制御する方法や、（２）コンパレータ（信号比較器）を使用し、ハード的に固定された複数の基準電圧との比較により、対応するバーグラフ表示器の表示部を表示させる方法のが主流である。
【０００３】
図２は、上記（１）の方法を使用したバーグラフモニタ表示方法の一例を表す図である。ここで、図２を使用して（１）の方法を説明する。バーグラフモニタ表示を行うためのモニタされる信号は、Ａ／Ｄ変換器２１を経由してマイクロプロセッサ２２に取り込まれる。マイクロプロセッサ２２は、取り込まれた信号を表示されるバーグラフ表示器の表示パターンにより、適切な形式に演算処理し、外部ポートに出力する。出力された表示パターンの信号はドライバ回路２３を経由してバーグラフ表示器２４を駆動させ、信号の表示を行う。
【０００４】
この方法によると、マイクロプロセッサ２２により入力信号の切り替えに応じ柔軟に、対数演算等の処理がなされて、バーグラフ表示器の出力パターンに加工される。
【０００５】
次に、（２）の方法を使用したバーグラフモニタ表示方法について説明する図３は、（２）の方法を使用したバーグラフモニタ表示方法の一例を表す図である。バーグラフモニタ表示を行うためのモニタされる信号は、直接コンパレータ（信号比較器）３１に入力され、予めコンパレータ３１に設定されている基準信号との比較により、対応するバーグラフ表示器３２の表示部の表示がなされる。コンパレータ３１の数は、バーグラフ表示器３２の桁数に対応し、設定値は個々に異なる。
【０００６】
【発明が解決しようとする課題】
しかしながら、（１）の方法では、マイクロプロセッサ２２の主機能が表示ではない限り、相当の処理をマイクロプロセッサが負担することになり、他機能の実装に影響を与えることになるか、または、入力信号の処理に制限が設けられることになる可能性が発生する。
【０００７】
また、（２）の方法では、マイクロプロセッサ等の外部の制御を受けず単独で機能するが、一方で異なる形式の入力信号を切り替えるときに、どちらかの形式に合わせる必要があり、音声信号などの対数で表した方が視覚的に分かりやすいものを、電圧値のような線形（一次式）で表されるものと混在するときなど、問題が発生する。
【０００８】
したがって、本発明の目的は、従来技術の問題点の異なる特性の信号レベルの表示を切り替えにより単一のバーグラフ表示器で行うために発生するマイクロプロセッサなどの外部機能への負荷の増大、または、表示機能自体への制限を解消し、外部機能の負担を軽減し異なる表示形式の信号を単一のバーグラフ表示器で行うためのバーグラフモニタ表示装置を提供することにある。
【０００９】
【課題を解決するための手段】
本発明の請求項１記載の表示装置は、異なる信号の信号レベルの表示を行う表示装置であって、前記信号レベルが信号レベル毎に予め設定された基準値を超えたか否かを測定する複数の信号レベル比較器と、前記複数の信号レベル比較器の基準値を記憶する記憶回路と、現在使用している信号から異なる信号の切替え時に、前記記憶回路に記憶されている基準値の切替え設定を行う処理部と、前記処理部で設定された基準値に基づいた信号レベル比較器を使用し、当該信号レベル比較器から出力される信号レベルを表示する表示器を備えることを特徴とする。
【００１０】
【発明の実施の形態】
以下、発明の実施の形態を通じて本発明を説明するが、以下の実施の形態はクレームにかかる発明を限定するものではなく、又実施形態の中で説明されている特徴の組合せの全てが発明の解決手段に必須であるとは限らない。
【００１１】
図１は、本発明に関わる実施形態のバーグラフモニタ表示装置を示す図である。本発明のバーグラフモニタ表示装置は、マイクロプロセッサ１１と、バーグラフ表示器の桁数に応じたコンパレータ１３（信号比較器）と、各コンパレータ用の基準電圧を記憶・発生及びマイクロプロセッサ等の基準電圧を設定するための基準電圧記憶回路１２と、バーグラフ表示器１４から構成されている。
【００１２】
本構成では、初めにマイクロプロセッサ等から各コンパレータ用の基準電圧を、モニタすべき入力信号の特性に応じて記憶する基準電圧記憶回路１２に設定する。この作業は、入力信号の切り替え毎に実施される。記憶された基準電圧は、コンパレータ１３の仕様に応じ、Ｄ／Ａ変換等を実施し、コンパレータ１３に常時入力される。
【００１３】
次に、各コンパレータ１３に入力された基準電圧は、別に入力されたモニタ用入力信号と比較され、その信号のレベルにより、対応するバーグラフ表示器１４の表示部を（駆動用回路等を経由してする場合も有る。ここでは、駆動用回路は図示せず）点灯させる。
【００１４】
また、マイクロプロセッサ等の外部回路による作業については、従来、モニタする信号自体を入力し、適当な間隔で常時、対数形式などの表示形式に沿った演算を実施していたが、本構成では、入力信号が切り替った時のみ、基準電圧を設定するだけなので、負担が大幅に軽減される。更に、基準電圧については、モニタする信号とは異なり、固定値であることから、特に都度計算する必要はないので、実現方法につき自由度が増す。
【００１５】
更に、基準電圧記憶回路１２は、マイクロプロセッサ等の外部回路からの基準電圧信号を記憶し、記憶している値を常時各コンパレータに出力する。また、コンパレータの数をバーグラフ表示器の表示部分の桁数と同じにすることで多種のパターンの表示を可能とする。
【００１６】
【発明の効果】
このように本発明によれば、バーグラフモニタ表示機能に関して、異なった形式の入力信号を単一のバーグラフ表示器で切り替えて表示できる。また、マイクロプロセッサ等の外部回路の負荷を大幅に低減できる。更に、バーグラフ表示器の桁数と同数のコンパレータを使用することで、表示パターンの細かい設定が可能となる。
【図面の簡単な説明】
【図１】本発明に関わる実施形態のバーグラフモニタ表示装置を示す図である。
【図２】従来のバーグラフモニタ表示方法の一例を表す図である。
【図３】従来のバーグラフモニタ表示方法の一例を表す図である。
【符号の説明】
１１、２２        マイクロプロセッサ
１２              基準電圧記憶回路
１３、３１        コンパレータ
１４、２４、３２  バーグラフ表示器
２３              ドライバ回路
【図１】
2004198848.tif 000003
【図２】
2004198848.tif 000004
【図３】
2004198848.tif 000005